(57)【要約】      （修正有）【課題】コンクリートスラブの貫通部を埋めている穴埋めモルタルの共上がりや崩落を防止することができる排水立て管の更新方法とこの方法で更新された排水立て管を提供する。【解決手段】直管残部１１ａ，１１ｂを残して対象階と階下の排水立て管１０を切断して除去する切断除去工程Ｓ１と、対象階の直管残部１１ｂを冷却して直管残部を収縮させかつこれに接するコンクリートスラブの付着強度を低下させる冷却収縮工程Ｓ２と、対象階の直管残部１１ｂを下方から鉛直上方に押し上げて撤去し、コンクリートスラブ２ｂに鉛直貫通穴５を形成する押上開口工程Ｓ３と、階下の直管残部１１ａの上方に新たな排水立て管の中間部１２を連結する中間部連結工程Ｓ４と、鉛直貫通穴５に下端部に鉛直管部を有するスラブ貫通部材（更新用集合管）１８を上方から挿入し、スラブ貫通部材１８の下端部を中間部１２の上端部に連結する上端部連結工程Ｓ５と、を有する。【選択図】図２
2014163041.tif 000002
【特許請求の範囲】
【請求項１】
複数階のスラブ床面を構成するコンクリートスラブを貫通して配設された排水立て管の更新方法であって、
（Ａ）コンクリートスラブを貫通する直管残部を残して、更新する対象階と階下の排水立て管を切断して除去する切断除去工程と、
（Ｂ）対象階の直管残部を冷却して直管残部を収縮させかつこれに接するコンクリートスラブの付着強度を低下させる冷却収縮工程と、
（Ｃ）対象階の直管残部を下方から鉛直上方に押し上げて直管残部を撤去し、コンクリートスラブに鉛直貫通穴を形成する押上開口工程と、
（Ｄ）階下の直管残部の上方に、新たな排水立て管の中間部を連結する中間部連結工程と、
（Ｅ）前記鉛直貫通穴に、下端部に鉛直管部を有するスラブ貫通部材を上方から挿入し、スラブ貫通部材の下端部を前記中間部の上端部に連結する上端部連結工程と、を有することを特徴とする排水立て管の更新方法。
【請求項２】
前記冷却収縮工程において、
直管残部の下端を封鎖し、
直管残部の内部に冷却媒体を収容し、直管残部を所定時間、所定温度以下に保持する、ことを特徴とする請求項１に記載の排水立て管の更新方法。
【請求項３】
前記冷却収縮工程において、
直管残部の内部に熱交換器を収容し、冷凍装置から冷却媒体を熱交換器に供給して直管残部を所定時間、所定温度以下に保持する、ことを特徴とする請求項１に記載の排水立て管の更新方法。
【請求項４】
前記押上開口工程において、
階下のスラブ床面に階下の直管残部を跨いで据付台を設置し、
前記据付台の上にコンクリートスラブの厚さよりストロークの長い油圧ジャッキをピストンロッドを縮めた状態で鉛直に設置し、
前記ピストンロッドの上端から対象階の直管残部の下端まで達する押し棒を、その間に鉛直に設置し、
油圧ジャッキを作動させて前記ピストンロッドを延ばし、押し棒を介して対象階の直管残部を下方から鉛直上方に押し上げる、ことを特徴とする請求項１に記載の排水立て管の更新方法。
【請求項５】
前記中間部連結工程において、
階下の直管残部の上方に突合継手で透明な掃除口継手を固定し、
その上方に樹脂管を鉛直に設置し、
その上端に延焼防止機能付き直管継手を設置する、ことを特徴とする請求項１に記載の排水立て管の更新方法。
【請求項６】
前記上端部連結工程において、
内部に発生する負圧が低く、コンクリートスラブの鉛直貫通穴よりも直径が小さい鉛直管部を有し、かつ対象階のコンクリートスラブの下方に達する長さを有する更新用集合管をスラブ貫通部材として準備し、
前記鉛直貫通穴にスラブ貫通部材を挿入した後に、コンクリートスラブの下面とスラブ貫通部材との間をパテ埋めし、次いでスラブ貫通部材と鉛直貫通穴との隙間にポリマーセメントを注入する、ことを特徴とする請求項１に記載の排水立て管の更新方法。
【請求項７】
請求項１に記載の排水立て管の更新方法で更新された排水立て管であって、
階下の直管残部の上方に突合継手で固定された透明な掃除口継手と、
掃除口継手の上方に鉛直に設置された樹脂管と、
樹脂管の上端に設置された延焼防止機能付き直管継手と、
対象階のコンクリートスラブの鉛直貫通穴に挿入されたスラブ貫通部材と、を有し、
前記スラブ貫通部材は、内部に発生する負圧が低く、コンクリートスラブの鉛直貫通穴よりも直径が小さい鉛直管部を有し、かつ対象階のコンクリートスラブの下方に達する長さを有する更新用集合管である、ことを特徴とする更新された排水立て管。
【発明の詳細な説明】
【技術分野】
【０００１】
本発明は、集合住宅やビルなどの多層建物に配設された排水立て管の更新方法とこの方法で更新された排水立て管に関する。
【背景技術】
【０００２】
集合住宅やビルなどの多層建物には、各階から排出される排水を下水道等に流すために排水立て管が配設されている。かかる排水立て管は長期間の使用により劣化し、腐蝕、減肉、ひび、亀裂等を生じる。しかし排水立て管は、通常、各階のスラブ床面を構成するコンクリートスラブを貫通して設けられ、貫通部はモルタルなどで固められている。
【０００３】
このような排水立て管の更新方法として、例えば特許文献１が既に提案されている。
【０００４】
特許文献１の「排水立て管の更新方法」は、排水管継手を準備する工程と、既存の排水立て管のコンクリートスラブの上側と下側を切断して撤去する撤去工程と、コンクリートスラブから既存の排水立て管の直管切断残部を引き抜く引き抜き工程と、引抜き後のコンクリートスラブの貫通孔に排水管継手の直管状胴部を挿入する継手セット工程と、排水管継手に新たな排水立て管を接続する接続工程とを有するものである。
【先行技術文献】
【特許文献】
【０００５】
【特許文献１】特開２０１１−２０２８０３号公報
【発明の概要】
【発明が解決しようとする課題】
【０００６】
上述した特許文献１の引き抜き工程では、直管切断残部の上端部をクランプ部材によりクランプし、クランプ部材を油圧ジャッキ等でジャッキアップすることにより、直管切断残部をコンクリートスラブの貫通孔から引き抜くようにしていた。
【０００７】
しかし、コンクリートスラブの貫通孔から直管切断残部を引き抜くのに必要な引き抜き力が非常に大きい（例えば３０ｋＮ以上）ため、直管切断残部の上端部をクランプするクランプ部材が複雑かつ大型化し、かつ油圧ジャッキ等でクランプ部材をジャッキアップするために特殊な治具を必要とする問題点があった。
また、直管切断残部を引き抜く際に、直管切断残部を介してコンクリートスラブに引き抜き力が作用するため、貫通部を埋めている穴埋めモルタルと配管（直管切断残部）が分離できず、穴埋めモルタルが配管と共に引き抜かれる「共上がり」や、穴埋めモルタルの「崩落」が発生する問題点があった。
さらに、穴埋めモルタルの共上がりや崩落を防止するために、直管切断残部に打撃や振動を付加すると、騒音や粉塵が発生し、建物利用者（例えば居住者）にストレスを与え、建物を利用しながらの施工ができない問題点があった。
【０００８】
本発明は、これらの問題点を解決するために創案されたものである。すなわち本発明の目的は、複数階のコンクリートスラブを貫通して配設された既設の排水立て管を更新することができ、貫通部を埋めている穴埋めモルタルの共上がりや崩落を防止することができ、騒音や粉塵が発生せず、複雑、大型、又は特殊な治具を必要としない排水立て管の更新方法とこの方法で更新された排水立て管を提供することにある。
【課題を解決するための手段】
【０００９】
本発明によれば、複数階のスラブ床面を構成するコンクリートスラブを貫通して配設された排水立て管の更新方法であって、
（Ａ）コンクリートスラブを貫通する直管残部を残して、更新する対象階と階下の排水立て管を切断して除去する切断除去工程と、
（Ｂ）対象階の直管残部を冷却して直管残部を収縮させかつこれに接するコンクリートスラブの付着強度を低下させる冷却収縮工程と、
（Ｃ）対象階の直管残部を下方から鉛直上方に押し上げて直管残部を撤去し、コンクリートスラブに鉛直貫通穴を形成する押上開口工程と、
（Ｄ）階下の直管残部の上方に、新たな排水立て管の中間部を連結する中間部連結工程と、
（Ｅ）前記鉛直貫通穴に、下端部に鉛直管部を有するスラブ貫通部材を上方から挿入し、スラブ貫通部材の下端部を前記中間部の上端部に連結する上端部連結工程と、を有することを特徴とする排水立て管の更新方法が提供される。
【００１０】
前記冷却収縮工程において、
直管残部の下端を封鎖し、
直管残部の内部に冷却媒体を収容し、直管残部を所定時間、所定温度以下に保持する、ことが好ましい。
【００１１】
前記冷却収縮工程において、
直管残部の内部に熱交換器を収容し、冷凍装置から冷却媒体を熱交換器に供給して直管残部を所定時間、所定温度以下に保持してもよい。
【００１２】
前記押上開口工程において、
階下のスラブ床面に階下の直管残部を跨いで据付台を設置し、
前記据付台の上にコンクリートスラブの厚さよりストロークの長い油圧ジャッキをピストンロッドを縮めた状態で鉛直に設置し、
前記ピストンロッドの上端から対象階の直管残部の下端まで達する押し棒を、その間に鉛直に設置し、
油圧ジャッキを作動させて前記ピストンロッドを延ばし、押し棒を介して対象階の直管残部を下方から鉛直上方に押し上げる、ことが好ましい。
【００１３】
前記中間部連結工程において、
階下の直管残部の上方に突合継手で透明な掃除口継手を固定し、
その上方に樹脂管を鉛直に設置し、
その上端に延焼防止機能付き直管継手を設置する、ことが好ましい。
【００１４】
前記上端部連結工程において、
内部に発生する負圧が低く、コンクリートスラブの鉛直貫通穴よりも直径が小さい鉛直管部を有し、かつ対象階のコンクリートスラブの下方に達する長さを有する更新用集合管をスラブ貫通部材として準備し、
前記鉛直貫通穴にスラブ貫通部材を挿入した後に、コンクリートスラブの下面とスラブ貫通部材との間をパテ埋めし、次いでスラブ貫通部材と鉛直貫通穴との隙間にポリマーセメントを注入する、ことが好ましい。
【００１５】
また本発明の排水立て管の更新方法で更新された排水立て管であって、
階下の直管残部の上方に突合継手で固定された透明な掃除口継手と、
掃除口継手の上方に鉛直に設置された樹脂管と、
樹脂管の上端に設置された延焼防止機能付き直管継手と、
対象階のコンクリートスラブの鉛直貫通穴に挿入されたスラブ貫通部材と、を有し、
前記スラブ貫通部材は、内部に発生する負圧が低く、コンクリートスラブの鉛直貫通穴よりも直径が小さい鉛直管部を有し、かつ対象階のコンクリートスラブの下方に達する長さを有する更新用集合管である、ことを特徴とする更新された排水立て管が提供される。
【発明の効果】
【００１６】
上記本発明の更新方法によれば、冷却収縮工程において、直管残部を冷却して直管残部を収縮させかつこれに接するコンクリートスラブの付着強度を低下させた後に、押上開口工程において、直管残部を下方から鉛直上方に押し上げて直管残部を撤去し、コンクリートスラブに鉛直貫通穴を形成するので、複数階のコンクリートスラブを貫通して配設された既設の排水立て管を更新することができ、貫通部を埋めている穴埋めモルタルの共上がりや崩落を防止することができ、騒音や粉塵が発生せず、複雑、大型、又は特殊な治具を必要としない。
従って、コンクリートスラブを壊さずに排水立て管の更新ができ、短時間に施工可能であり、大きな騒音や粉塵がでないので、居住者にストレスを与えず、居住しながら施工ができる。
【００１７】
また本発明の更新方法で更新された排水立て管は、透明な掃除口継手を用いているので、高圧洗浄の際に内部を見ることができ、洗浄時期や洗浄効果の把握が容易である。
また、掃除口継手の上方に鉛直に設置された樹脂管（塩ビ管）と、延焼防止機能付き直管継手（カンペイ継手）を用いているので、鋼管と比較して軽量であり作業性の向上とコストダウンが可能であり、かつ火災時の延焼を防止できる。
さらに、スラブ貫通部材は、内部に発生する負圧が低く、コンクリートスラブの鉛直貫通穴よりも直径が小さい鉛直管部を有し、かつ対象階のコンクリートスラブの下方に達する長さを有する更新用集合管であるので、従来よりも排水性能が向上し、排水音や排水臭を改善することができる。
【図面の簡単な説明】
【００１８】
【図１】本発明の排水立て管の更新方法を示す工程図である。
【図２】図１の各工程を示す模式図である。
【図３】本発明方法で更新された排水立て管の全体構成図である。
【図４】鋼管撤去時における荷重変化の比較図である。
【図５】冷却処理中における鋼管の温度変化を示す図である。
【発明を実施するための形態】
【００１９】
以下、本発明の好ましい実施形態を図面を参照して説明する。なお、各図において共通する部分には同一の符号を付し、重複した説明を省略する。
【００２０】
図１は、本発明の排水立て管１０の更新方法を示す工程図であり、図２は、図１の各工程を示す模式図である。
本発明の排水立て管１０の更新方法は、複数階のスラブ床面１ａ，１ｂを構成するコンクリートスラブ２ａ，２ｂを貫通して配設された排水立て管１０の更新方法である。
図１において、本発明の更新方法は、切断除去工程Ｓ１、冷却収縮工程Ｓ２、押上開口工程Ｓ３、中間部連結工程Ｓ４、上端部連結工程Ｓ５、及び最終処理工程Ｓ６を有する。
【００２１】
切断除去工程Ｓ１では、図２（Ａ）（Ｂ）に示すように、コンクリートスラブ２ａ，２ｂを貫通する直管残部１１ａ，１１ｂを残して、更新する対象階と階下の排水立て管１０を切断して除去する。
なお、この切断除去工程Ｓ１の前に、更新する対象階と階下の排水立て管１０を、壁等を開口させて予め露出させておく。
【００２２】
冷却収縮工程Ｓ２では、図２（Ｃ）に示すように、対象階の直管残部１１ｂを冷却して直管残部１１ｂを収縮させかつこれに接するコンクリートスラブ２ｂの付着強度（界面強度）を低下させる。
この冷却収縮工程Ｓ２において、初めに直管残部１１ｂの下端をプラグ３で封鎖し、下端の気密性を確保する。次いで、直管残部１１ｂの内部に冷却媒体４を収容し、所定時間、所定温度以下に保持する。冷却媒体４としては、例えばドライアイスを使用するのがよい。
ドライアイス温度（昇華点）は、約−７８．５℃であり、ドライアイスを用いる場合には、所定時間は約２０分から１時間程度、所定温度は−２０℃〜−６０℃程度であり、直管残部１１ｂが熱収縮し、かつ直管残部１１ｂに接触するコンクリートスラブ２ｂの付着強度（界面強度）が十分低下するように設定するのがよい。
なお、冷却媒体４は、ドライアイスに限定されず、その他の冷媒、例えば液体窒素でもよい。
また、冷却媒体４を直接注入せず、直管残部１１ｂの内部に熱交換器（図示せず）を収容し、冷凍装置（図示せず）から冷却媒体４を熱交換器に供給して直管残部１１ｂを間接的に冷却してもよい。
【００２３】
押上開口工程Ｓ３では、図２（Ｄ）（Ｅ）に示すように、対象階の直管残部１１ｂを下方から鉛直上方に押し上げて直管残部１１ｂを撤去し、コンクリートスラブ２ｂに鉛直貫通穴５（図２（Ｆ））を形成する。
この押上開口工程Ｓ３において、初めに階下のスラブ床面１ａに階下の直管残部１１ａを跨いで据付台６を設置する。
次いで、据付台６の上にコンクリートスラブ２ａの厚さよりストロークの長い油圧ジャッキ７をピストンロッド７ａを縮めた状態で鉛直に設置する。油圧ジャッキ７は、手動ポンプ７ｂで作動する手動油圧ジャッキであるのが好ましいが、電動ポンプを備えた電動油圧ジャッキであってもよい。
次に、油圧ジャッキ７のピストンロッド７ａの上端から対象階の直管残部１１ｂの下端まで達する押し棒８を、その間に鉛直に設置する。
最後に、油圧ジャッキ７を作動させてピストンロッド７ａを延ばし、押し棒８を介して対象階の直管残部１１ｂを下方から鉛直上方に押し上げる。
【００２４】
中間部連結工程Ｓ４では、図２（Ｆ）に示すように、階下の直管残部１１ａの上方に、新たな排水立て管１０の中間部１２を連結する。中間部１２は、この例では、突合継手１３、掃除口継手１４、樹脂管１５、延焼防止機能付き直管継手１６からなる。
この中間部連結工程Ｓ４において、初めに階下の直管残部１１ａの上方に突合継手１３（例えばノーハブ継手）で透明な掃除口継手１４を固定する。ノーハブ継手は、突合せ状態で配置された２つの直管を液密に連結可能な配管継手である。
次いで、掃除口継手１４の上方に樹脂管１５を鉛直に設置する。樹脂管１５は、例えば塩ビ管である。
次に、樹脂管１５の上端に延焼防止機能付き直管継手１６（例えばカンペイ継手）を設置する。延焼防止機能付き直管継手１６は、対象階のコンクリートスラブ２の下面に取付け金具１６ａを介して固定し、コンクリートスラブ２ｂに鉛直貫通穴５の真下に正確に位置決めする。
【００２５】
上端部連結工程Ｓ５では、図２（Ｇ）（Ｈ）に示すように、対象階の鉛直貫通穴５に、下端部に鉛直管部を有するスラブ貫通部材１８を上方から挿入し、スラブ貫通部材１８の下端部を中間部１２の上端部に連結する。
この上端部連結工程Ｓ５において、初めにコンクリートスラブ２ｂの鉛直貫通穴５よりも直径が小さい鉛直管部を有する更新用集合管をスラブ貫通部材１８として準備する。スラブ貫通部材１８は、内部に発生する負圧が低い更新用集合管であるのが好ましい。
次いで、鉛直貫通穴５にスラブ貫通部材１８を挿入した後に、コンクリートスラブ２ｂの下面とスラブ貫通部材１８との間をパテ埋めし、次いでスラブ貫通部材１８と鉛直貫通穴５との隙間にポリマーセメントを注入する。
【００２６】
最終処理工程Ｓ６では、スラブ貫通部材１８に突合継手１９を介して枝管を接続し、中間部１２とスラブ貫通部材１８に防水処理と遮音処理を施すことのより、本発明による排水立て管１０の更新が終了する。
【００２７】
図３は、本発明の方法で更新された排水立て管１０の全体構成図である。
この図において、本発明の更新方法で更新された排水立て管１０は、掃除口継手１４、樹脂管１５、延焼防止機能付き直管継手１６、及びスラブ貫通部材１８を有する。
【００２８】
掃除口継手１４は、透明な塩ビ製であり、階下の直管残部１１ａの上方に突合継手１３で固定されている。突合継手１３は、例えばノーハブ継手であり、突合せ状態で配置された２つの直管を液密に連結可能な配管継手である。
樹脂管１５は、例えば塩ビ管であり、掃除口継手１４の上方に鉛直に設置されている。
延焼防止機能付き直管継手１６は、樹脂管１５の上端に設置される。延焼防止機能付き直管継手１６は、例えば、カンペイ継手であるのがよい。
スラブ貫通部材１８は、対象階のコンクリートスラブ２ｂの鉛直貫通穴５に挿入されている。
スラブ貫通部材１８は、鉛直貫通穴５よりも直径が小さい鉛直管部を有し、かつ対象階のコンクリートスラブ２ｂの下方に達する長さを有する更新用集合管である。この更新用集合管は、内部に発生する負圧が低く、従来よりも排水性能が向上し、排水音や排水臭を改善することができるものであるのがよい。
【００２９】
上述した本発明の更新方法によれば、冷却収縮工程Ｓ２において、直管残部１１ｂを冷却して直管残部１１ｂを収縮させかつこれに接するコンクリートスラブ２ｂの付着強度を低下させた後に、押上開口工程Ｓ３において、直管残部１１ｂを下方から鉛直上方に押し上げて直管残部１１ｂを撤去し、コンクリートスラブ２ｂに鉛直貫通穴５を形成するので、複数階のコンクリートスラブ２ａ，２ｂを貫通して配設された既設の排水立て管１０を更新することができ、貫通部を埋めている穴埋めモルタルの共上がりや崩落を防止することができ、騒音や粉塵が発生せず、複雑、大型、又は特殊な治具を必要としない。
従って、コンクリートスラブ２ｂを壊さずに排水立て管１０の更新ができ、短時間に施工可能であり、大きな騒音や粉塵がでないので、居住者にストレスを与えず、居住しながら施工ができる。
【００３０】
また本発明の更新方法で更新された排水立て管１０は、透明な掃除口継手１４を用いているので、高圧洗浄の際に内部を見ることができ、洗浄時期や洗浄効果の把握が容易である。
また、掃除口継手１４の上方に鉛直に設置された樹脂管１５（塩ビ管）と、延焼防止機能付き直管継手１６（カンペイ継手）を用いているので、鋼管と比較して軽量であり作業性の向上とコストダウンが可能であり、かつ火災時の延焼を防止できる。
さらに、スラブ貫通部材１８は、内部に発生する負圧が低く、コンクリートスラブ２ｂの鉛直貫通穴５よりも直径が小さい鉛直管部を有し、かつ対象階のコンクリートスラブ２ｂの下方に達する長さを有する更新用集合管であるので、従来よりも排水性能が向上し、排水音や排水臭を改善することができる。
【００３１】
以下、本発明の実施例を説明する。
【実施例１】
【００３２】
本発明における直管残部１１ｂとして、厚さ１５ｃｍのスラブにＳＧＰ８０Ａ（ＪＩＳ  Ｇ  ３４５２：配管用炭素鋼管）の鋼管が埋設された試験体（スラブ貫通排水立て管継手試験体）を準備し、アムスラー試験機を使用してその押上げ荷重を計測した。
この試験により試験体をスラブから押し上げて脱管させるのに必要な荷重（脱管荷重）は約３０ｋＮであった。また、この実験結果から、直管残部１１ｂがスラブに直接埋設されている場合は、穴埋めモルタルの共上がり及び表面コンクリートの割れが発生することが確認された。
【実施例２】
【００３３】
直管残部１１ｂを厚さ１５ｃｍのスラブから撤去する手段として、ねじり処理、潤滑油処理、打撃処理、冷却処理を実施した。本発明における直管残部１１ｂとして、実施例１と同じ試験体（厚さ１５ｃｍのスラブに埋設されたＳＧＰ８０Ａの鋼管）を用いた。
【００３４】
ねじり処理では、鋼管をその軸周りにパイプレンチを用いて手作業で可能な範囲で捩りを付加した。
潤滑油処理では、鋼管とスラブの界面に潤滑油を十分に噴霧した。
打撃処理では、鋼管をハンマーで１０回以上打撃した。
冷却処理では、鋼管の内部にドライアイスを充填し、約３０分間、冷却した。
さらに、各処理後に、実施例１と同様にアムスラー試験機を使用してその変位と押上げ荷重を計測した。
【００３５】
図４は、鋼管撤去時における荷重変化の比較図である。各図において、横軸は時間経過、縦軸の実線は荷重変化、縦軸の破線は変位を示している。
図４の各図において、変位（縦軸の破線）はいずれもスラブの厚さ１５ｃｍを超えて約２０ｃｍに達しており、鋼管が完全に抜けていることを示している。
【００３６】
図４（Ａ）のねじり処理では、最大荷重は約２３ｋＮであるが、荷重変動が激しく、そのため、穴埋めモルタルと鋼管との分離ができず、穴埋めモルタルの共上がりが発生した。従ってこの処理では穴埋めモルタルの共上がりを防止できないことがわかった。
図４（Ｂ）の潤滑油処理では、最大荷重は約３２ｋＮであり、荷重は徐々に最大に達した後、急激に低下した。この処理では、潤滑油は噴霧では鋼管まわりのスラブに十分浸透しないため、穴埋めモルタルの崩落が発生した。
図４（Ｃ）の打撃処理でが、最大荷重は約２０ｋＮであり最も低いが、荷重は最後まで高い。また穴埋めモルタルの共上がりはなかったが、打撃時の騒音は許容できるレベルを超えていた。
図４（Ｄ）の冷却処理では、最大荷重は約３５ｋＮであり比較的高いが、初期にピークに達した後に、短時間に急激に低下した。これは鋼管の冷却効果により、鋼管が収縮し、穴埋めモルタルと鋼管が分離されたと考えられる。またこの冷却により、コンクリートスラブの付着強度（界面強度）が低下していると考えられる。
なお、穴埋めモルタルの共上がりや穴埋めモルタルの崩落は全くなく、鋼管の外径に相当する鉛直貫通穴５が割れや欠落なく形成できることが確認された。
【００３７】
上述した実施例２により、穴埋めモルタルの共上がりや崩落を防止するため、冷却処理が最も効果的であることが確認された。
【実施例３】
【００３８】
図５は、冷却処理中における鋼管の温度変化を示す図である。
この図から、ドライアイスを用いた場合、経過時間が約２０分間で鋼管温度が約−２５℃に達しており、それ以降は、約４０分経過までほぼ同じ温度を維持していることがわかる。
従って、冷却媒体４としてドライアイスを用いる場合には、所定時間は約２０分から１時間程度、所定温度は−２０℃〜−６０℃程度であるのが好ましいといえる。
【００３９】
（カンペイ継手の適用）
本発明における延焼防止機能付き直管継手１６として、株式会社クボタが開発した延焼防止機能つきカンペイ継手を適用することにより、排水立て管１０や横枝管を樹脂管（例えば塩ビ管）で配管ができる。
これにより、従来の鋼管類では約３０ｋｇ（１住戸当たり）の荷重であるものが、約１／３となり、作業性の向上とコストダウンが可能となった。
【００４０】
（更新用集合管の改良）
本発明におけるスラブ貫通部材１８として、既設の排水立て管と同外形のロングポット型集合管をモデルに縮径化した更新用の専用の集合管を開発した。集合管の内部構造を改良したことにより、排水性能がＵＰし、封水切れによる排水臭に悩まされている居住者に対する訴求効果が期待できる。
【００４１】
（隙間穴埋め材料の選定）
既設排水立て管撤去後の鉛直貫通穴５に３〜４ｍｍ縮径化したスラブ貫通部材１８（更新用集合管）を挿入した後の微細空間埋め材として、ひび割れ補修に使用されているポリマーセメントを選定し、施工検証実験を行い、充填状況を確認した。
【００４２】
上述した実施例から、本発明による更新方法とこの方法で更新された排水立て管１０は、従来工法と比較して以下の利点があることが確認された。
「コンクリート床工事」は、本発明では手動油圧ジャッキによる押上げにより、従来のはつり工事をなくすことができる。
「騒音、粉塵」は、本発明ではほとんど発生しない。
「排水性能」は、鉛直貫通穴５よりも直径が小さいにも関らず、向上する。
「管種」として樹脂化ができる。
「作業時間」は、１箇所当たり、約５時間から約２時間に短縮できる。
【００４３】
従って、本発明による更新方法とこの方法で更新された排水立て管は、以下の特徴を有する。
コンクリートスラブを壊さずに更新ができ、短時間に施工可能であり、大きな騒音や粉塵がでないので、居住者にストレスを与えず、居住しながら施工ができる。
透明な掃除口継手１４を用いているので、高圧洗浄の際に内部を見ることができ、洗浄時期や洗浄効果の把握が容易である。
掃除口継手１４の上方に鉛直に設置された樹脂管１５（塩ビ管）と、延焼防止機能付き直管継手１６を用いているので、鋼管と比較して軽量であり作業性の向上とコストダウンが可能であり、かつ火災時の延焼を防止できる。
スラブ貫通部材１８は、前記鉛直貫通穴よりも直径が小さい鉛直管部を有し、かつ対象階のコンクリートスラブの下方に達する長さを有する更新用集合管であるので、内部に発生する負圧が低く、従来よりも排水性能が向上し、排水音や排水臭を改善することができる。
【００４４】
なお、本発明は上述した実施形態に限定されず、本発明の要旨を逸脱しない限りで種々に変更できることは勿論である。
【符号の説明】
【００４５】
１ａ，１ｂ  スラブ床面、２ａ，２ｂ  コンクリートスラブ、
３  プラグ、４  冷却媒体（ドライアイス又は液体窒素）、
５  鉛直貫通穴、６  据付台、７  油圧ジャッキ、
７ａ  ピストンロッド、７ｂ  手動ポンプ、８  押し棒、
１０  排水立て管、１１ａ，１１ｂ  直管残部、
１２  中間部、１３  突合継手（ノーハブ継手）、１４  掃除口継手、
１５  樹脂管（塩ビ管）、１６  延焼防止機能付き直管継手（カンペイ継手）、
１６ａ  取付け金具、１８  スラブ貫通部材（更新用集合管）、
１９  突合継手
【図１】
2014163041.tif 000003
【図２】
2014163041.tif 000004
【図３】
2014163041.tif 000005
【図４】
2014163041.tif 000006
【図５】
2014163041.tif 000007